(57)【要約】【課題】一つのドアで、閉めたまま採光と通風を選択できるようにする。【解決手段】ドア本体の中にスライド空間を設け、そのドア本体の幅方向中央部分に前記スライド空間を屋内外方向に貫通する開口部を設け、前記スライド空間にそれぞれ前記開口部とほぼ等幅の採光部と通風部とを有する小扉をスライド自在に備えた。【選択図】　　　図１
2004011335.tif 000002
【特許請求の範囲】
【請求項１】
ドア本体の表面板と裏面板の間にスライド空間を設けるとともに、そのドア本体の幅方向中間部分に前記スライド空間を屋内外方向に貫通する開口部を設け、前記スライド空間にそれぞれ前記開口部とほぼ等幅の採光部と通風部とを有する小扉をスライド自在に備えたことを特徴とするドア。
【請求項２】
通風部は、小扉の面内に採光部に隣接して固設された防虫網と格子とからなることを特徴とする請求項１に記載されたドア。
【請求項３】
小扉の幅方向中間位置に屋内方向に突設され、小扉のスライド時に開口部の幅方向端部に当接されて小扉のスライド行程を規制する引き手を設けたことを特徴とする請求項１に記載されたドア。
【請求項４】
ドア本体の表面板と裏面板の間にスライド空間を設けるとともに、そのドア本体の幅方向中間部分に前記スライド空間を屋内外方向に貫通する開口部を設けて、その開口部の屋外側面に格子を取付け、前記スライド空間に採光部を有する前記開口部とほぼ等幅の小扉をスライド自在に備え、前記小扉の一端部と前記スライド空間の一端部との間に短縮方向に付勢された伸縮可能な防虫網を設けたことを特徴とするドア。
【請求項５】
小扉の防虫網側の端部に屋内方向に突設され、小扉のスライド時に開口部の幅方向端部に当接されて小扉のスライド行程を規制する引き手を設けたことを特徴とする請求項４に記載されたドア。
【請求項６】
開口部の少なくとも幅方向両端部を形成する表面板と裏面板には、小扉が引き手により開口部に対して所定位置に停止された時に屋内外方向に隣接する角筒状の補強部材が設けられていること特徴とする請求項１〜５のいずれか１項に記載されたドア。
【請求項７】
小扉を採光部が開口部を遮閉する位置において補強部材に係止する錠を備えたことを特徴とする請求項１〜５のいずれか１項に記載されたドア。
【請求項８】
ドア本体は、屋外側に面する金属材と屋内側に面する樹脂材とを有する複合構造体であり、小扉の框材は金属材であって、小扉が採光位置に存する時に屋内側に露出される部分は樹脂材で被覆されていることを特徴とする請求項１又は４に記載されたドア。
【発明の詳細な説明】
【０００１】
【発明の属する技術分野】
本発明は、通風と採光が可能なドアに関する。
【０００２】
一般的にドアには、採光部を有するドアと採光部を有しないドアの２種類しかない。従来、勝手口には、観音開きのガラスドアと、観音開きの網戸と、観音開きのガラリ戸とが装着される例があるが、それらの開閉に手間がかかることから、とくに勝手口用に、採光と通風を必要に応じて任意に選択できるドアが望まれている。
【０００３】
従来、開閉可能な採光部を有するドアと開閉可能な通風部を有するドアは、例えば、実開平５−３８２７５号公報により知られている。
このドアは、ドア本体に開口部を形成し、その開口部に採光部を設けて、対向する表面板と裏面板を結合してなる小扉をドア本体にスライド自在に取付けて、小扉を一方向にスライドしたときは採光部が露出されて採光が可能になり、他方向にスライドした時は採光部が隠蔽されるものである。また、開口部に採光部に代えて通風部を設けたものは、小扉を一方向にスライドしたときは通風部が露出させて通風が可能になり、他方向にスライドした時は通風部が遮閉されるものである。
【０００４】
【発明が解決しようとする課題】
上述のように、先行技術は、採光部を設けたドアでは採光と遮光のいずれかの選択が、通風部を設けたドアでは通風・採光と非通風・遮光のいずれかの選択が可能なものであったから、一つのドアで採光と通風・採光を任意に選択できるドアに対する要望に応えることができなかった。
本発明は、上記の点に鑑みてなされたものであり、その課題は、一つのドアで、ドアを閉めたまま採光と通風を選択できるようにすることにある。
【０００５】
【課題を解決するための手段】
上記課題を解決するため、本発明のドアは、ドア本体の表面板と裏面板の間にスライド空間を設けるとともに、そのドア本体の幅方向中央部分に前記スライド空間を屋内外方向に貫通する開口部を設け、前記スライド空間にそれぞれ前記開口部とほぼ等幅の採光部と通風部とを有する小扉をスライド自在に備えたことを特徴としている（請求項１）。
上記構成により、ドアを閉めたまま、小扉を採光部が開口部を閉鎖する位置にスライドした時は採光のみが可能であり、通風部はドア本体内に収容され、隠蔽される。また、小扉を通風部が開口部を閉鎖する位置にスライドした時は通風と採光が可能であり、採光部はドア本体内に収容され、隠蔽される。採光時は防虫網が、通風時は採光部がそれぞれドア本体に収容されて隠蔽される。従って、ドアの外観が簡素美麗になり、開口部に露出されていない側の部分が汚染されたり、損傷されたりすることが防止される。
【０００６】
通風部は、小扉の面内に採光部に隣接して固設された防虫網と格子とからなることが望ましい（請求項２）。
これにより、開口部は防虫網と格子により閉鎖されるので、通風性と防虫性と防犯性が具備され、小扉を採光部が開口部を閉鎖する位置にスライドされた時は開口部は採光部により遮閉され、格子が存在しないので、閉鎖感がなく、通風が防止され、採光可能である。
【０００７】
小扉の幅方向中間位置に屋内方向に突設され、小扉のスライド時に開口部の幅方向端部に当接されて小扉のスライド行程を規制する引き手を設けることが望ましい（請求項３）。
上記構成により、小扉のスライラドが引き手により容易にできる。また、小扉を採光時の位置及び通風時の位置にそれぞれスライドさせた場合は、引き手が開口部の幅方向端部に当接して停止されるので、小扉の正確な位置決めが容易にできる。
【０００８】
本発明の目的は、ドア本体の表面板と裏面板の間にスライド空間を設けるとともに、そのドア本体の幅方向中央部分に前記スライド空間を屋内外方向に貫通する開口部を設けて、その開口部の屋外側面に格子を取付け、前記スライド空間に採光部を有する前記開口部とほぼ等幅の小扉をスライド自在に備え、前記小扉の一端部と前記スライド空間の一端部との間に短縮方向に付勢された伸縮可能な防虫網を設けた構成によっても、達成することが可能である（請求項４）。
上記構成により、小扉を採光部が開口部を開放する位置にスライドされた時は防虫網が伸張されて開口部を遮閉する。そして、小扉の採光可能な位置と通風可能な位置との間の必要移動距離が短くなる。格子が常に開口部に存在しているので、防犯効果が得られ、また、小扉を一方向にスライドすると開口部は採光部により遮閉されて採光のみが可能となり、小扉を他方向にスライドすると防虫網が伸張して開口部が遮閉され、通風と採光と防虫が可能となる。
【０００９】
小扉の防虫網側の端部に屋内方向に突設され、小扉のスライド時に開口部の幅方向端部に当接されて小扉のスライド行程を規制する引き手を設けることが望ましい（請求項５）。
上記構成により、小扉のスライラドが引き手により容易にでき、また、小扉を採光時の位置及び通風時の位置にそれぞれスライドさせた場合は、引き手が開口部の幅方向端部に当接して停止されるので、小扉の正確な位置決めが容易にできる。
【００１０】
請求項１〜５のドアには、開口部の少なくとも幅方向両端部を形成する表面板と裏面板に、小扉が引き手により開口部に対して所定位置に停止された時に小扉の周辺の框と屋内外方向に隣接する角筒状の補強部材が設けられていることが望ましい（請求項６）。
上記構成により、開口部周辺の強度が確保され、小扉が採光時の位置に存在する時の開口部周辺の強度が十分に大きくなる。
【００１１】
上記構成のドアにおいては、小扉を採光部が開口部を遮閉する位置において前記補強部材に係止する錠を備えることが望ましい（請求項７）。
上記構成により、採光時の状態で小扉がロックされ、防犯性が高まる。
【００１２】
請求項１又は４に記載されたドアは、寒冷地向けに供給される場合は、ドア本体が、屋外側に面する金属材と屋内側に面する樹脂材とを有する複合構造体であり、小扉の框材は金属材であって、小扉が採光位置に存する時に屋内側に露出される部分は樹脂材で被覆された構成とすることが望ましい。
上記構成により、小扉を採光位置に置く時の断熱性及び意匠性が向上する。
【００１３】
【発明の実施の形態】
次に、本発明の実施の形態について、図面に基づいて説明する。
図１ないし図４は本発明の実施の第１形態を示す。図１はドアの正面図であり、（ａ）は採光時の外観を、（ｂ）は通風時の外観を示す。図２は同じドアの横断面図であり、（ａ）は採光時の小扉の位置を、（ｂ）は通風時の小扉の位置を示す。図３は図２のＸ−Ｘ線断面図、図４は図２のＹ−Ｙ線断面図である。
図５ないし図７は本発明の実施の第２形態を示す。図５はドアの正面図であり、（ａ）は採光時の外観を、（ｂ）は通風時の外観を示す。図６は同じドアの横断面図であり、（ａ）は採光時の小扉の位置を、（ｂ）は通風時の小扉の位置を示す。図７は図６のＺ−Ｚ線断面図である。
図８及び図９は本発明の実施の第３形態を示す。図８は横断面、図９は縦断面図である。
【００１４】
各図において、３は、開口枠１にヒンジ２を介して開閉自在に支持されているドア本体であり、ドア本体３には、屋外側に面する表面板３ａと屋内側に面する裏面板３ｂとによって、その間に矩形状のスライド空間４が形成されている。そして、ドア本体３の幅方向中央部分において、スライド空間４を屋内外方向に貫通する縦長の開口部５が形成されて、開口部５の左側と右側に、それぞれ前記スライド空間の一部により構成されている収納空間４ａ及び収納空間４ｂがそれぞれ形成されている。
この場合、開口部５と収納空間４ａ，４ｂのドア面に沿った幅寸法（見込み幅）は、ほぼ等しくされている。
【００１５】
スライド空間４の上端部と下端部には、水平面に沿って平行に延長する上レール６ａと下レール６ｂが設けられている。そして、そのスライド空間４に、開口部５の幅の２倍の幅を有する子扉７が収容され、その小扉の上下端部に設けてある戸車８ａ，８ｂがそれぞれ上レール６ａと下レール６ｂに案内されて、小扉７がドア面と平行な方向にスライド自在に備えられている。
【００１６】
小扉７は、図３及び図４に示すように、上下の框７ａ，７ｂと、左右及び中間の縦框７ｃ，７ｄ，７ｅとを横転「日」字形に枠組みし、その枠体の上下框７ａ，７ｂと左縦框７ｃと中間框７ｅにより形成されている左側の矩形面には採光用のガラス１０が固設され、また、枠体の上下框７ａ，７ｂと右縦框７ｄと中間框７ｅで構成されている右側の矩形面には防虫網１１が張設され、また、その防虫網の屋外側に格子１２が設けられている。
こうして、この実施の形態における小扉７は、ガラス１０が設けられている部分からなる採光部Ａと、防虫網１１及び格子１２が備えられている通風部Ｂとを有している。
【００１７】
表面板３ａ及び裏面板３ｂの収納空間４ａ，４ｂの開口部５に連続する出入り口を形成する端部に、好ましくは角筒状の補強部材１３ａ，１３ｂ；１４ａ，１４ｂを設けることにより、開口部５の周縁が補強されている。
好ましくは、小扉７の中間框７ｅに、屋内側から手をかけて小扉をドア面と平行な方向に移動させることを容易にするため、及び小扉のスライド時の位置決めを正確かつ容易にするため、引手１５が小扉７の屋内方向に突設されている。
すなわち、この引手１５をドア先方向又は吊り元方向に引くと、図２に示すように、引き手１５が開口部５の屋内側の補強部材１４ａ又は１４ｂに当接停止されるため、小扉７をその採光部Ａ又は通風部Ｂが開口部５に正確に合致する位置に容易に停止することができる。
【００１８】
こうして、図２（ａ）に示すように、引き手１５をこれが開口部５の右側の端部に停止されるまで押して小扉７をスライドさせると、採光部Ａが開口部５に位置付けられるので、ドアは、閉鎖状態で採光が可能である。
また、図２（ｂ）に示すように、引き手１５をこれが開口部５の左側の端部に停止されるまで押して小扉７をスライドさせると、通風部Ｂが開口部５に位置付けられるので、ドアは、閉鎖状態で通風が可能である。
【００１９】
図２の屋内側の補強部材１４ａ又は１４ｂには、図示されていないが、小扉７が採光時の位置に存在する時に操作することにより、小扉をロックし又はそのロックを解除する既知の施錠装置が設けられている。その施錠装置を採光時の引き手１５が存在する補強部材１４ｂに取付けると、小扉７を採光時の位置に移動した手で、直ちに施錠することができる利点がある。
【００２０】
図５は、第２の実施の形態を示すものである。この実施の形態では、図６に示すように、ドア本体３の開口部５の屋外側面に格子１２´を固設してある。そして、スライド空間４内には、第１の実施の形態における小扉７から通風部Ｂを除去した構成、すなわち、採光部Ａのみを有する構成の小扉７´が、第１の実施の形態と同様の保持構造によりスライド自在に収容してある。
【００２１】
そして、その小扉７´の一端部とスライド空間４の一端部、図５の例では、小扉のドア先側の端部とスライド空間のドア先側端部との間に、伸縮可能な防虫網１１´が設けられ、その防虫網の両端部がそれぞれ小扉７´とドア本体３に結合されている。
【００２２】
伸縮可能な防虫網１１´の例としては、図示の例のような蛇腹状に折り畳んだもの、又はこれに代えて、ロールスクリーン状に巻き取ったロール網を用いることもできる。また、これらの防虫網は、常に短縮する方向に付勢されているものである。
【００２３】
この実施の形態においても、小扉７´の防虫網側の縦框７ｃに引き手１５が突設され、その引き手を介して小扉を所定方向に移動すると、小扉７´は図６（ａ）に示すように採光部Ａが開口部５に正確に合致する位置に停止されることができ、また、そのときは、防虫網１１´が収納空間４ａ内に短縮して収容される。また、引き手１５を介して小扉７´を反対方向に移動すると、小扉は図６（ｂ）に示すように収納空間４ｂに収納された位置に停止され、かつ、防虫網１１´は伸張して開口部５を遮閉する。
【００２４】
防虫網は伸縮自在のものを使用するため、採光時と通風時の小扉移動行程を第１の実施の形態の場合よりも小さくすることができる。換言すると、小扉移動行程が短縮される分、小扉の幅寸法を大きくして、採光量及び通風量を多くすることができる利点がある。
【００２５】
こうして、第２の実施の形態は、図６に示すように開口部５が常に格子１２´で保護されているので、防犯性か高い。また、引き手１５を介して小扉７´を移動して、図６（ａ）に示すように採光が可能な状態と、同図（ｂ）に示すように、通風が可能な状態とを任意に選択することができる。
【００２６】
第２の実施の形態の場合も、図６の屋内側の補強部材１４ａ又は１４ｂに、図示されていないが、小扉７´が採光時の位置に存在する時に操作することにより、小扉をロックし又はそのロックを解除する既知の施錠装置が設けられている。そして、この実施の形態の場合は、防虫網１１´に常に短縮方向に力が作用しているので、小扉７´が通風時の位置に移動された時にこれロックすることが望まれる。従って、この施錠装置は、補強部材１４ｂに取付けられ、小扉７´が採光時、通風時のいずれの時にもロックできるように、縦框１３ｃと１３ｄの両方に施錠装置により係止される被係止部が形成されてもよいし、補強部材１４ａと１４ｂの両方に引き手１５又は縦框１３ｃを係止する施錠装置を設けてもよい。
こうして、小扉７を採光時又は通風時の位置に移動するため引き手を操作した手で、直ちに施錠することができる利点がある。
【００２７】
図５に例示されたドアは、開口部５が幅方向中央よりもややドアハンドル１６側に寄った位置に設けられている。この場合は、採光部又は通風部を破損して容易にドア本体の錠を不法侵入試行者により不正解錠される恐れがあるが、開口部５をドアハンドル１６から離れた側に設けた場合は、その様な不正解錠を困難にする利点がある。
【００２８】
図８及び図９は、本発明を寒冷地向けドアに適用する場合の実施の第３形態の一例を示す。
この実施の形態においては、開口枠１が屋外側に面する部分が耐候性に優れたアルミニウム等の金属材１ｍで形成され、開口枠１が屋内側に面する部分が断熱性に優れている樹脂材１ｐで形成されている。
これに合わせて、ドア本体３Ｃは、屋外側に面する部分を金属材で構成し、屋内側に面する部分を樹脂材で構成した複合構造体とされている。すなわち、ドア本体３Ｃの表面板３ａｍは、開口枠１の屋外側に面する部分と同様に金属材で形成され、ドア本体の裏面板は、屋外側に面する部分を金属材３ｂｍで、屋内側に面する部分を樹脂材３ｂｐで形成されている。
また、小扉７”の各框材は主たる部分は金属材７ａｍ，７ｂｍ，７ｃｍ，７ｄｍであるが、小扉が採光位置に存する時に屋内側に露出される部分は樹脂材で被覆されている。すなわち、図８の左縦框７ｃｍは、凹溝状の引き手１５´が形成されて採光時に屋内側に面するので、左縦框の屋内側部分は樹脂材７ｃｐで被覆されている。また、上框と下框の屋内側に面する部分も、樹脂材７ａｐ，７ｂｐで被覆されている。
さらに、採光部Ａには断熱性に優れた二重ガラスが用いられている。
【００２９】
上記の構成を有することにより、採光時はドアの内観は採光部Ａを除くほかは、樹脂材のみが屋内側に面するので、樹脂材の色彩及び模様などにより、ドアの意匠性が向上する。また、採光部も樹脂材も断熱性を有するため、ドア全体の断熱性が向上されている。
【００３０】
【発明の効果】
上述したように、請求項１の発明によれば、ドア本体にスライド空間を設け、ドア本体の幅方向中央部分に開口部を形成し、前記スライド空間に採光部と通風部を有する小扉をスライド自在に備えたので、一つのドアで、しかもドアを閉めたまま、採光と通風を選択して行うことができる。
【００３１】
小扉の幅方向中間位置に屋内方向に突設され、小扉のスライド時に開口部の幅方向端部に停止されて小扉のスライド行程を規制する引き手を設けた場合は、小扉を採光又は通風のための所定位置に正確容易に位置決めすることができる。
【００３２】
また、請求項４の発明によれば、ドア本体にスライド空間を設け、ドア本体の幅方向中央部分に開口部を形成し、その開口部の屋外側面に格子を取付け、前記スライド空間に採光部を有する小扉をスライド自在に備え、前記小扉と前記スライド空間の一端部との間に伸縮可能な防虫網を設けたので、一つのドアで、そのドアを閉めたまま、採光と通風・採光を選択的に行うことができる。
そして、小扉の採光可能な位置と通風可能な位置との間の必要移動距離が短くなるので、採光量及び通風量の増大を図ることができる。さらに、格子が常に開口部に存在しているので、防犯性が高い。
【００３３】
さらに、請求項８の発明によれば、採光部と通風部を有するドアに高い断熱性及び意匠性を備えることができる。
【図面の簡単な説明】
【図１】実施の第１形態のドアの正面図。（ａ）は採光時の外観を、（ｂ）は通風時の外観を示す。
【図２】同じくドアの横断面図。（ａ）は採光時の小扉の位置を、（ｂ）は通風時の小扉の位置を示す。
【図３】図２のＸ−Ｘ線断面図
【図４】図２のＹ−Ｙ線断面図。
【図５】実施の第２形態のドアの正面図。（ａ）は採光時の外観を、（ｂ）は通風時の外観を示す。
【図６】同じドアの横断面図。（ａ）は採光時の小扉の位置を、（ｂ）は通風時の小扉の位置を示す。
【図７】図６のＺ−Ｚ線断面図。
【図８】実施の第３形態のドアの採光時の横断面図。
【図９】同じく縦断面図。
【符号の説明】
１　　　　　ドア取付け用開口枠
２　　　　　ドア取付け用ヒンジ
３Ａ，３Ｂ，３Ｃ　　ドア本体
３ａ　　　　表面板
３ｂ　　　　裏面板
３ａｐ　　　金属材
３ｂｍ　　　樹脂材
４　　　　　スライド空間
４ａ，４ｂ　収納空間
５　　　　　開口部
６ａ，６ｂ　　上下レール
７，７´，７”　　小扉
７ａ，７ｂ　　上、下框
７ｃ，７ｄ　　縦框
７ｅ　　　　　中間框
７ａｍ、７ｃｍ、７ｄｍ　　金属材
７ａｐ，７ｂｐ，７ｃｐ　　樹脂材
８ａ，８ｂ　　戸車
Ａ　　　採光部
１０　　　　　ガラス
Ｂ　　　通風部
１１，１１´　防虫網
１２，１２´　格子
【図１】
2004011335.tif 000003
【図２】
2004011335.tif 000004
【図３】
2004011335.tif 000005
【図４】
2004011335.tif 000006
【図５】
2004011335.tif 000007
【図６】
2004011335.tif 000008
【図７】
2004011335.tif 000009
【図８】
2004011335.tif 000010
【図９】
2004011335.tif 000011